(57)【要約】【課題】操作部材の内部に配置されたクリック部材への埃等の付着を防止すると共にクリック部材からの音の発生を抑制する。【解決手段】外装カバー３上に設けられた操作装置１２であって、内部に空間を有する操作部材３０と、前記操作部材の前記空間に配置されたクリック部材３４と、前記クリック部材が配置された前記空間への埃の侵入を防止すると共に、前記クリック部材を前記外装カバーに押圧する防塵部材３２とを備える。【選択図】図３
2013012432.tif 000002
【特許請求の範囲】
【請求項１】
外装カバー上に設けられた操作装置であって、
内部に空間を有する操作部材と、
前記操作部材の前記空間に配置されたクリック部材と、
前記クリック部材が配置された前記空間への埃の侵入を防止すると共に、前記クリック部材を前記外装カバーに押圧する防塵部材と
を備えることを特徴とする操作装置。
【請求項２】
前記操作部材の操作時に、前記クリック部材に設けられた凸部が前記操作部材の内部に設けられた複数の凹部に順次嵌ることによりクリック感を発生させることを特徴とする請求項１記載の操作装置。
【請求項３】
前記防塵部材は、硬度が低いシリコンゴムにより形成されていることを特徴とする請求項１または２に記載の操作装置。
【請求項４】
前記防塵部材は、周縁部に鍔部を有し、前記鍔部が前記操作部材の側壁の内周縁部と前記外装カバーに前記内周縁部に対向するように形成された突出部とで挟まれることにより前記空間を密閉空間とすることを特徴とする請求項１〜３の何れか一項に記載の操作装置。
【請求項５】
前記操作部材は、回転操作部材であることを特徴とする請求項１〜４の何れか一項に記載の操作装置。
【請求項６】
前記操作部材は、スライド操作部材であることを特徴とする請求項１〜４の何れか一項に記載の操作装置。
【発明の詳細な説明】
【技術分野】
【０００１】
本発明は、操作時にクリック感を有する操作装置に関するものである。
【背景技術】
【０００２】
従来、デジタルカメラ、ビデオカメラなどの電子機器には、ダイヤル部材を回転操作することによりモードの選択やコマンドの入力を行なうダイヤル装置が備えられている。このようなダイヤル装置においては、操作性を向上させるためにダイヤル部材の回転操作時にクリック感を持たせているものが存在する。例えば、特許文献１に開示されているダイヤルユニットにおいては、ダイヤル部材の内部にクリック部材を配置することにより、ダイヤル部材の回転操作時にクリック感を発生させている。
【先行技術文献】
【特許文献】
【０００３】
【特許文献１】特開２００１−２４２５２０号公報
【発明の概要】
【発明が解決しようとする課題】
【０００４】
しかし上述のダイヤルユニットにおいては外装カバーとダイヤル部材の隙間からダイヤル部材の内部に埃等が侵入してクリック部材に付着し、良好なクリック感が得られなくなる場合があった。また、クリック部材により発生する音が操作者などに不快感を与える場合があった。
【０００５】
本発明の目的は、操作部材の内部に配置されたクリック部材への埃等の付着を防止すると共にクリック部材からの音の発生を抑制する操作装置を提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の操作装置は、外装カバー（３）上に設けられた操作装置（１２）であって、内部に空間を有する操作部材（３０）と、前記操作部材の前記空間に配置されたクリック部材（３４）と、前記クリック部材が配置された前記空間への埃の侵入を防止すると共に、前記クリック部材を前記外装カバーに押圧する防塵部材（３２）とを備えることを特徴とする。
【発明の効果】
【０００８】
本発明によれば、操作部材の内部に配置されたクリック部材への埃等の付着を防止すると共にクリック部材からの音の発生を抑制することができる。
【図面の簡単な説明】
【０００９】
【図１】実施の形態に係るカメラの背面の構成を示す背面図である。
【図２】実施の形態に係るカメラの背面の部分斜視図である。
【図３】実施の形態に係るダイヤル装置の縦断面図である。
【図４】実施の形態に係るダイヤル装置の表側から視た分解斜視図である。
【図５】実施の形態に係るダイヤル装置の裏側から視た分解斜視図である。
【発明を実施するための形態】
【００１０】
以下、図面を参照して、本発明の実施の形態に係るモードダイヤルを備えるデジタルカメラ（以下、カメラという。）について説明する。図１は実施の形態に係るカメラの背面図であり、図２はカメラの背面の部分斜視図である。図１及び図２に示すように、カメラ２の外装カバー３の背面４には、撮影画像や各種の情報を表示するＬＣＤ表示部１０、撮影モードを選択するモードダイヤル１２、メニュー項目の選択や再生画像の選択を行うマルチセレクタ１４、撮影時や再生時にＬＣＤ表示部１０に表示する情報の切り替えを行うディスプレイボタン１６、画像の再生指示を行う再生ボタン１８、画像の削除を行う削除ボタン２０及びメニュー画面を表示させるメニューボタン２２が設けられている。
【００１１】
次に、図３〜図５を参照して、モードダイヤルの構成について説明する。図３は実施の形態に係るモードダイヤルの縦断面図、図４は実施の形態に係るモードダイヤルの表側から視た分解斜視図、図５は実施の形態に係るモードダイヤルの裏側から視た分解斜視図である。
【００１２】
図３〜図５に示すように、モードダイヤル１２は、外装カバー３上に順次配置されるダイヤル部材３０、防塵・防音ゴム部材３２及びクリック板金３４、外装カバー３内に配置される接点バネ板金３６及び留めビス３８を備えて構成されている。
【００１３】
ダイヤル部材３０は、円盤状の形状を有し上板部３０ａ及び側壁部３０ｂにより内部に空間を形成している。ここでダイヤル部材３０の裏面側にはビス穴３０ｃ及び位置決めピン３０ｄを有する軸部３０ｅが設けられていることから空間は円環形状を有する。また軸部３０ｅの周囲には放射状に複数の溝部３０ｆが形成されている。
【００１４】
防塵・防音ゴム部材３２は、硬度の低いシリコンゴム（ＫＥ９４１０Ｕ：硬度Ｈｓ（ＪＩＳ_Ａ）＝４０°±５°）により形成された中央部に開口を有する部材であり、クリック板金３４の突起部形成部３４ａが配置される２つの半円環状の開口部３２ａ及びクリック板金３４を押圧する２つの押圧部３２ｂがそれぞれ中央部の開口を挟んで形成されている。ここで押圧部３２ｂにはそれぞれ外装カバー３に設けられている２つの位置決めピン３ａが挿入される位置決め穴３２ｃが形成されている。また防塵・防音ゴム部材３２の外装カバー３に対向する側の周縁部に鍔部３２ｄが形成されている。
【００１５】
クリック板金３４は、金属により形成された中央部に開口を有する部材であり、防塵・防音ゴム部材３２の半円環状の開口部３２ａに配置される２つの突起部形成部３４ａが中央部の開口を挟んで形成されている。そして突起部形成部３４ａには、それぞれダイヤル部材３０の内部に複数形成されている溝部３０ｆに順次嵌ることによりクリック感を発生させる突起部３４ｂが形成されている。また外装カバー３に設けられている２つの位置決めピン３ａがそれぞれ挿入される２つの位置決め穴３４ｃが中央部の開口を挟んで形成されている。
【００１６】
接点バネ板金３６は、接点３６ａを有する板状の部材であり、中央部に形成されている開口を挟んで２つの位置決め穴３６ｂが形成されている。
【００１７】
モードダイヤル１２は、外装カバー３上にクリック板金３４、防塵・防音ゴム部材３２及びダイヤル部材３０を順番に重ね、外装カバー３の内側に接点バネ板金３６を配置して留めビス３８をダイヤル部材３０のビス穴３０ｃに対して締付けることにより組み立てられる。この場合に、防塵・防音ゴム部材３２の位置決め穴３２ｃ及びクリック板金３４の位置決め穴３４ｃに外装カバー３の位置決めピン３ａが挿入されるため、外装カバー３に対する防塵・防音ゴム部材３２及びクリック板金３４の中心軸Ｘを中心とする回転方向の位置決めが行なわれる。
【００１８】
またダイヤル部材３０の位置決めピン３０ｄが接点バネ板金３６の位置決め穴３６ｂに挿入されるため、ダイヤル部材３０の回転に伴い接点バネ板金３６が中心軸Ｘを中心として回転する。
【００１９】
クリック板金３４の位置決め穴３４ｃが形成されている領域は防塵・防音ゴム部材３２の押圧部３２ｂにより外装カバー３に対して押圧される。即ち、押圧部３２ｂにより位置決め穴３４ｃが形成されている領域を面で外装カバー３に対して押圧する。従って、クリック板金３４を外装カバー３に対してビスで固定する場合やボスを溶解させて圧着する場合に比較して、クリック板金３４を広い領域で外装カバー３に対して固定することができるため、ダイヤル部材３０が回転操作されクリック板金３４の突起部３４ｂがダイヤル部材３０の内部に複数形成されている溝部３０ｆに順次嵌りクリック感を発生させる場合において、操作者に不快感を与える音の発生を抑制することができる。
【００２０】
また、防塵・防音ゴム部材３２の鍔部３２ｄがダイヤル部材３０を構成する側壁部３０ｂの内周縁部と外装カバー３に側壁部３０ｂの内周縁部に対向するように形成された突出部３ｂとで挟まれることにより、ダイヤル部材３０のクリック板金３４が収容されている円環形状の空間を密閉空間にすることができる。ここで防塵・防音ゴム部材３２は、硬度の低いシリコンゴムにより形成されているため、円環形状の空間を確実に密閉空間にすることができる。従って、ダイヤル部材３０の円環形状の空間に埃が侵入しクリック板金３４に付着するのを防止することができ、モードダイヤル１２の操作時におけるクリック感の悪化を防止することができる。またダイヤル部材３０のクリック板金３４が収容されている円環形状の空間を密閉空間にしているため、モードダイヤル１２の操作時にクリック板金３４から音が発生した場合においても、音漏れの量を少なくすることができる。
【００２１】
本実施の形態に係るモードダイヤルによれば、ダイヤル部材の内部に配置されたクリック板金への埃等の付着を防止すると共にクリック板金からの音の発生を抑制することができる。またクリック板金から音が発生した場合においても、音漏れの量を少なくすることができる。
【００２２】
なお、上述の実施の形態においては、回転操作を行なうダイヤル装置について説明したが、外装カバー上に形成されたスライド操作部材であるスライドレバー等に本発明を適用しても良い。即ち、スライド操作を行なう操作部材の内部空間にクリック部材を収容し、防塵・防音ゴム部材によりクリック部材が収容されている内部空間を密閉空間とすると共に、クリック部材を外装カバーに対して押圧する。これによりクリック部材が収容されている内部空間への埃の侵入を防止することができ、クリック部材への埃の付着によるクリック感の低下を防止することができる。また防塵・防音ゴム部材によりクリック部材を押圧することにより操作者などに不快感を与える音の発生を抑制することができる。更に、防塵・防音ゴム部材によりクリック部材が収容されている内部空間を密閉空間としているため、クリック部材から音が発生した場合に音の漏れ量を少なくすることができる。
【００２３】
また上述の実施の形態においては、ダイヤル部材３０と防塵・防音ゴム部材３２を別々の部材として成形しているが、二色成形により一体の部材として成形してもよい。この場合には、部品点数が削減されることから組み立て時の工数を少なくすることができるため製造コストの削減を図ることができる。
【符号の説明】
【００２４】
２…カメラ、３…外装カバー、１０…ＬＣＤ表示部、１２…モードダイヤル、１４…マルチセレクタ、３０…ダイヤル部材、３２…防塵・防音ゴム部材、３２ｂ…押圧部、３２ｄ…鍔部、３４…クリック板金、３６…接点バネ板金、３８…留めビス
【図１】
2013012432.tif 000003
【図２】
2013012432.tif 000004
【図３】
2013012432.tif 000005
【図４】
2013012432.tif 000006
【図５】
2013012432.tif 000007